(57)【要約】【課題】前扉に設けられる遊技操作スイッチと取付開口との間に生じる間隙を介して、筐体内の装置に不正にアクセスされるのを効果的に防止する。【解決手段】前扉30に形成された取付開口を介して、前扉30の前面側に操作面が露出した状態で取り付けられる遊技操作スイッチ（ベットスイッチ、ストップスイッチ38等）を備えたスロットマシン10において、前扉30の裏面に、前扉30に向けて開口し、前扉30の裏面側に突出する遊技操作スイッチ及び遊技操作スイッチと取付開口との間に生じる間隙を一体に覆うことが可能な遮蔽カバー100を取り付ける。【選択図】図３
2013252225.tif 000002
【特許請求の範囲】
【請求項１】
前面側に開口を有する箱型の筐体と、
筐体の前面側の開口を開塞可能な前扉と、
遊技を行うにあたり操作可能な装置であって、前扉に形成された取付開口を介して、前扉の前面側に操作面が露出した状態で取り付けられる遊技操作スイッチと、を備えたスロットマシンであって、
前扉の裏面には、
前扉に向けて開口し、前扉の裏面側に突出する遊技操作スイッチ及び遊技操作スイッチと取付開口との間に生じる間隙を一体に覆うことが可能な遮蔽カバーが取り付けられていることを特徴とするスロットマシン。
【請求項２】
前扉の前面に設けられるメダル投入口と、
前扉の裏面におけるメダル投入口と対応する位置に設けられ、メダル投入口から投入された遊技メダルの選別を行う箱形のメダルセレクターと、
メダルセレクターを前扉の裏面に着脱可能に取り付けるための係止手段と、を備え、
係止手段は、メダルセレクターと係止される係止位置と、メダルセレクターとの係止が解除される係止解除位置との間を変位可能に形成されており、
遮蔽カバーには、当該遮蔽カバーから外方へ突出する規制部が設けられているとともに、規制部の突出方向の端部は、遮蔽カバーが前扉の裏面に取り付けられた状態において、係止手段が係止解除位置まで変位するのを規制可能な位置に達するように形成されていることを特徴とする請求項１記載のスロットマシン。
【請求項３】
前扉の前面に設けられるメダル投入口と、
前扉の裏面におけるメダル投入口と対応する位置に着脱可能に取り付けられ、メダル投入口から投入された遊技メダルの選別を行う箱形のメダルセレクターと、を備え、
遮蔽カバーには、当該遮蔽カバーの外方へ突出する規制部が設けられているとともに、規制部の突出方向の端部は、遮蔽カバーが前扉の裏面に取り付けられた状態において、メダルセレクターの背面側の所定位置に達し、規制部と前扉の裏面との間にメダルセレクターを挟むように形成されていることを特徴とする請求項１記載のスロットマシン。
【発明の詳細な説明】
【技術分野】
【０００１】
この発明は、スロットマシンに関し、詳しくは、前扉に、遊技を行うにあたり操作可能な遊技操作スイッチが設けられたスロットマシンに関する。
【背景技術】
【０００２】
従来、この種のスロットマシンとしては、遊技に使用される遊技媒体として遊技メダルを用いるものが知られている。
このようなスロットマシンにおける前扉の前面には、電子的に貯留されているクレジットメダルをベットするためのベットスイッチ、メインの遊技に使用される回転リールの回転を開始させるためのスタートスイッチ、回転リールの回転を停止させるためのストップスイッチ、及び、所定の演出装置で実行される演出を進行させるための演出スイッチ等、遊技を行うにあたり操作可能な遊技操作スイッチが設けられている。
また、このようなスロットマシンにおいては、筐体内に、メダル投入口から投入された遊技メダルを貯留するとともに遊技の結果等に応じて貯留されている遊技メダルを排出するためのホッパー装置、ホッパー装置の作動や遊技における抽選等を実行するための制御装置を構成するメイン基板等が設けられている。
【０００３】
このようなスロットマシンは、下記の特許文献１に開示されている。
【先行技術文献】
【特許文献】
【０００４】
【特許文献１】特開２０１０−２５３１３９号公報
【発明の概要】
【発明が解決しようとする課題】
【０００５】
上述のようなスロットマシンにおいては、ピアノ線や針金等のワイヤー状部材をスロットマシンの外部から挿入することで、筐体内に設置されたホッパー装置やメイン基板等が不正に操作されるのを防止すべく、前扉の前面には、極力、筐体内へ通じる隙間が生じないように形成されている。
しかし、上述のような遊技操作スイッチの取り付けにあたっては、所定の取付位置に、前扉の前面から裏面まで至る取付開口を形成した上で、この取付開口を介して、遊技操作スイッチを前扉に取り付けるようになっていることから、遊技操作スイッチと取付開口との間に、前扉の前面から裏面まで至る微小な間隙が生じることとなる。
【０００６】
そのため、この微小な間隙から直接ワイヤー部材を挿入したり、若しくは、バール等の工具を利用して強引に上述の間隙を拡開した上でワイヤー部材を挿入したりする等により、筐体の内部に設置されているホッパー装置やメイン基板等へ不正にアクセスされてしまうというおそれが生じていた。
そこで、下記の発明は、上記した事情によりなされたものであり、前扉に設けられる遊技操作スイッチと取付開口との間に生じる間隙を介して、筐体内の装置に不正にアクセスされるのを効果的に防止可能なスロットマシンを提供することを目的とする。
【課題を解決するための手段】
【０００７】
下記の発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（第１の発明）
第１の発明は、前面側に開口20aを有する箱型の筐体20と、筐体20の前面側の開口20aを開塞可能な前扉30と、遊技を行うにあたり操作可能な装置であって、前扉30に形成された取付開口を介して、前扉30の前面側に操作面が露出した状態で取り付けられる遊技操作スイッチ（ベットスイッチ、ストップスイッチ38等）と、を備えたスロットマシン10であって、前扉30の裏面には、前扉30に向けて開口し、前扉30の裏面側に突出する遊技操作スイッチ及び遊技操作スイッチと取付開口との間に生じる間隙を一体に覆うことが可能な遮蔽カバー100が取り付けられていることを特徴とする。
【０００８】
遊技操作スイッチは、遊技を行うにあたり操作可能な装置であり、換言すれば、遊技を進行するために遊技者が操作可能なスイッチである。たとえば、スロットマシン10における遊技を実行可能とするために、スロットマシン10に電子的に貯留されているクレジットメダルをベットするためのベットスイッチ、スロットマシン10の遊技に用いられるメインの装置である回転リール25の回転を開始させるためのスタートスイッチ37、回転リール25の回転を停止させるためのストップスイッチ38、演出の進行等に用いられ、所定のタイミングで操作することにより所定の演出装置（たとえば、液晶表示装置53等）で実行されている演出の表示内容を切り替えることが可能な演出スイッチ39等が挙げられる。なお、遊技操作スイッチとしては、これらに限定されるものではない。
【０００９】
また、遮蔽カバー100は、前扉30に向けて開口する蓋状の部材であって、前扉30の裏面側に突出する遊技操作スイッチ及び遊技操作スイッチと取付開口との間に生じる間隙を一体に覆うことが可能なカバーである。換言すれば、遮蔽カバー100は、前扉30の裏面側から、遊技操作スイッチ及び遊技操作スイッチと取付開口との間に生じる間隙を覆うものである。
ここで、前扉30に遊技操作スイッチが複数個設けられている場合には、各遊技操作スイッチに対応するそれぞれ別個の遮蔽カバー100を設けてもよいし、全ての遊技操作スイッチを一体に覆う一の遮蔽カバー100を設けてもよい。換言すれば、前扉30の裏面に複数の遮蔽カバー100を設けて、各遮蔽カバー100がそれぞれ別個に、対応する遊技操作スイッチ及び当該遊技操作スイッチと取付開口との間に生じる間隙を覆うようにしてもよい。また、前扉30の裏面に一の遮蔽カバー100を設けて、この遮蔽カバー100が、全ての遊技操作スイッチ及び各遊技操作スイッチと取付開口との間に生じる全ての間隙を覆うようにしてもよい。
【００１０】
（作用・効果）
本発明に係るスロットマシン10においては、遊技を行うにあたり操作可能な遊技操作スイッチが、前扉30に形成された取付開口を介して、前扉30に取り付けられる。そして、前扉30の裏面には、遊技操作スイッチ及び遊技操作スイッチと取付開口との間に生じる間隙を一体に覆うことが可能な遮蔽カバー100が取り付けられるようになっている。
すなわち、本発明に係るスロットマシン10によれば、前扉30の裏面に遮蔽カバー100を取り付けると、遊技操作スイッチ及び遊技操作スイッチと取付開口との間に生じる間隙が遮蔽カバー100に覆われることとなる。換言すれば、前扉30の裏面に遮蔽カバー100が取り付けられると、前扉30の裏面及び遮蔽カバー100により閉鎖された空間が形成され、この閉鎖された空間に、遊技操作スイッチ及び遊技操作スイッチと取付開口との間に生じる間隙が収まることとなる。
【００１１】
そのため、遊技操作スイッチと取付開口との間に生じる間隙からピアノ線等のワイヤー部材が挿入されたとしても、遮蔽カバー100によって、当該遮蔽カバー100よりも奥側の筐体20内部への進入が妨げられることとなる。
したがって、本発明に係るスロットマシン10によれば、前扉30に設けれらる遊技操作スイッチと取付開口との間に生じる間隙からワイヤー状部材を挿入することにより、当該間隙を介して、筐体20内の装置に不正にアクセスされるのを効果的に防止することができるのである。
（第２の発明）
第２の発明は、上記した第１の発明の特徴に加え、前扉30の前面に設けられるメダル投入口44と、前扉30の裏面におけるメダル投入口44と対応する位置に設けられ、メダル投入口44から投入された遊技メダルの選別を行う箱形のメダルセレクター43と、メダルセレクター43を前扉30の裏面に着脱可能に取り付けるための係止手段79と、を備え、係止手段79は、メダルセレクター43と係止される係止位置と、メダルセレクター43との係止が解除される係止解除位置との間を変位可能に形成されており、遮蔽カバー100には、当該遮蔽カバー100から外方へ突出する規制部120が設けられているとともに、規制部120の突出方向の端部は、遮蔽カバー100が前扉30の裏面に取り付けられた状態において、係止手段79が係止解除位置まで変位するのを規制可能な位置に達するように形成されていることを特徴とする。
【００１２】
係止手段79は、メダルセレクター43を前扉30の裏面に着脱可能に取り付けるためのものである。また、この係止手段79は、メダルセレクター43と係止される係止位置と、メダルセレクター43との係止が解除される係止解除位置との間を変位可能に形成されている。
係止手段79は、たとえば、メダルセレクター43の所定箇所に設けられた被係止部（たとえば、係止穴や係止溝）と係止可能であり、かつ、弾性変形することにより、被係止部と係止される係止位置と、被係止部との係止が解除される係止解除位置との間を変位可能に形成された係止爪とすることができる。
具体的には、前扉30の裏面から突出する係止爪を設けるとともに、メダルセレクター43に被係止部としての係止穴を設ける。また、係止爪は、弾性変形していない状態において、メダルセレクター43に設けられた係止穴に引っ掛かることで係止され、弾性変形することにより、係止穴との係止が解除されるように、形成する。すなわち、係止爪は、弾性変形していない状態で、係止穴と係止される係止位置に位置し、弾性変形させることにより、係止穴との係止が解除される係止解除位置まで変位可能となっている。
【００１３】
これにより、係止爪が係止位置に位置した状態では、係止爪がメダルセレクター43に設けられた係止穴に引っ掛かって係止されることにより、メダルセレクター43が前扉30の裏面に取り付けられることとなる。また、係止爪を弾性変形させて係止解除位置まで変位させると、係止爪と係止穴との係止が解除され、メダルセレクター43が前扉30の裏面から取り外されることとなる。なお、係止手段79は、メダルセレクター43を前扉30の裏面に着脱可能に取り付けられる構成となっていれば、上述のものに限定されず、種々の公知の構成を採用することができる。
また、規制部120は、遮蔽カバー100から外方へ突出するものであって、規制部120の突出方向の端部は、遮蔽カバー100が前扉30の裏面に取り付けられた状態において、係止手段79が係止解除位置まで変位するのを規制可能な位置に達している。すなわち、遮蔽カバー100が前扉30の裏面に取り付けられると、規制部120により、係止手段79は係止解除位置まで変位することができないこととなる。さらに換言すれば、遮蔽カバー100が前扉30の裏面に取り付けられると、係止手段79とメダルセレクター43との係止が解除できないこととなる。
【００１４】
なお、係止手段79が係止解除位置まで変位するのを規制可能な位置は、係止手段79が係止解除位置まで変位できないようになっている位置であれば、特に限定されるものではない。
たとえば、遮蔽カバー100が前扉30の裏面に取り付けられた状態で、遮蔽カバー100から突出する規制部120の端部が、係止位置に位置している係止手段79を、係止解除位置の方向とは反対方向に押しつけることとなるような位置が挙げられる。すなわち、規制部120の端部が、係止手段79を係止解除位置の方向とは反対方向に押しつけることで、係止手段79は係止解除位置まで変位できないこととなる。
【００１５】
また、たとえば、遮蔽カバー100が前扉30の裏面に取り付けられた状態で、遮蔽カバー100から突出する規制部120の端部が、係止位置と係止解除位置との間の所定箇所まで達しているような位置が挙げられる。すなわち、規制部120の端部が、係止位置と係止解除位置との間の所定箇所まで達していることで、係止手段79はこの所定箇所までしか変位することができず、ひいては、係止手段79は係止解除位置まで変位できないこととなる。
（作用・効果）
本発明に係るスロットマシン10においては、メダル投入口44から投入された遊技メダルの選別を行うメダルセレクター43が、係止手段79と係止することにより、前扉30の裏面に着脱可能に取り付けられる。そして、遮蔽カバー100を前扉30の裏面に取り付けると、遮蔽カバー100から外方に突出する規制部120の端部が、係止手段79がメダルセレクター43との係止が解除される係止解除位置まで変位するのを規制可能な位置に達することとなる。
【００１６】
すなわち、本発明に係るスロットマシン10によれば、遮蔽カバー100を前扉30の裏面に取り付けると、規制部120により係止手段79の係止解除位置までの変位が規制されることで、係止手段79とメダルセレクター43との係止が解除できなくなるため、メダルセレクター43が前扉30の裏面から不正に取り外されるのを困難なものとすることができる。
このように、本発明に係るスロットマシン10によれば、遮蔽カバー100を前扉30の裏面に取り付けることのみで、遊技操作スイッチと取付開口との間に生じる間隙を介して、筐体20内の装置に不正にアクセスされるのを防止できるとともに、メダルセレクター43が不正に取り外されるのを防止できる。すなわち、不正対策用の部品の数を増やすことなく、遮蔽カバー100のみで複数種類の不正対策を行うことができるため、部品の取り付け作業や製造コストの増加を抑えたスロットマシン10の不正対策が可能となるのである。
【００１７】
（第３の発明）
第３の発明は、上記した第１の発明の特徴に加え、前扉30の前面に設けられるメダル投入口44と、前扉30の裏面におけるメダル投入口44と対応する位置に着脱可能に取り付けられ、メダル投入口44から投入された遊技メダルの選別を行う箱形のメダルセレクター43と、を備え、遮蔽カバー100には、当該遮蔽カバー100の外方へ突出する規制部120が設けられているとともに、規制部120の突出方向の端部は、遮蔽カバー100が前扉30の裏面に取り付けられた状態において、メダルセレクター43の背面側の所定位置に達し、規制部120と前扉30の裏面との間にメダルセレクター43を挟むように形成されていることを特徴とする。
【００１８】
本発明に係るスロットマシン10では、メダルセレクター43は前扉30の裏面に着脱可能に取り付けられる。具体的には、メダルセレクター43を前扉30の裏面に着脱可能に取り付けるための係止手段79を設け、この係止手段79とメダルセレクター43とが係止することで、メダルセレクター43を前扉30の裏面に着脱可能に取り付けることができる。なお、係止手段79については、第２の発明と同様である。
また、規制部120は、遮蔽カバー100から外方へ突出するものであって、規制部120の突出方向の端部は、遮蔽カバー100が前扉30の裏面に取り付けられた状態において、メダルセレクター43の背面側の所定位置に達しており、規制部120と前扉30の裏面との間にメダルセレクター43を挟むようになっている。
【００１９】
すなわち、遮蔽カバー100が前扉30の裏面に取り付けられると、メダルセレクター43が、規制部120と前扉30との間に挟まれることとなる。すると、たとえば、不正な外力が加えられてメダルセレクター43が前扉30の裏面から取り外されると、この取り外されたメダルセレクター43は背面側（すなわち、筐体20の内部方向）へ向けて滑落することとなるものの、遮蔽カバー100が前扉30の裏面に取り付けられた状態では、規制部120がメダルセレクター43の背面側に位置することとなるため、この規制部120により、メダルセレクター43の滑落が規制されることとなる。
なお、遮蔽カバー100が前扉30の裏面に取り付けられた状態において、規制部120の突出方向の端部が達する所定位置は、メダルセレクター43が前扉30の裏面から滑落するのを防止可能な位置とするのが好ましい。たとえば、メダルセレクター43の右方に遮蔽カバー100が取り付けられる場合には、規制部120は、遮蔽カバー100からメダルセレクター43の方向（すなわち、左方）に突出し、その端部が、少なくともメダルセレクター43の背面中央まで達するように、形成することができる。
【００２０】
また、遮蔽カバー100が前扉30の裏面に取り付けられた状態において、規制部120は、メダルセレクター43の背面に当接するように形成してもよいし、また、メダルセレクター43の背面に当接するのではなく、メダルセレクター43の背面と規制部120との間に若干の間隙が設けられるように形成してもよい。
（作用・効果）
本発明に係るスロットマシン10においては、メダル投入口44から投入された遊技メダルの選別を行うメダルセレクター43が、前扉30の裏面に着脱可能に取り付けられる。そして、遮蔽カバー100を前扉30の裏面に取り付けると、遮蔽カバー100から外方に突出する規制部120の端部が、メダルセレクター43の背面側の所定位置に達し、規制部120と前扉30の裏面との間に、メダルセレクター43が挟まれることとなる。
【００２１】
すなわち、本発明に係るスロットマシン10によれば、遮蔽カバー100を前扉30の裏面に取り付けると、規制部120により、メダルセレクター43の背面側（筐体20の内部方向）への滑落が規制されることとなる。そのため、不正な外力が加えられることによりメダルセレクター43が前扉30の裏面から取り外されても、メダルセレクター43を滑落させずにそのままの位置に留まらせることが可能となる。これにより、メダル投入口44から筐体20内部の装置にアクセスするにあたっての障害物となるメダルセレクター43を、前扉30の裏面から滑落させて取り除くことで、筐体20内部の装置へのアクセスを容易にするという不正行為を防止することができる。
【００２２】
このように、本発明に係るスロットマシン10によれば、遮蔽カバー100を前扉30の裏面に取り付けることのみで、遊技操作スイッチと取付開口との間に生じる間隙を介して、筐体20内の装置に不正にアクセスされるのを防止できるとともに、メダルセレクター43が不正に取り除かれるのを防止できる。すなわち、不正対策用の部品の数を増やすことなく、遮蔽カバー100のみで複数種類の不正対策を行うことができるため、部品の取り付け作業や製造コストの増加を抑えたスロットマシン10の不正対策が可能となるのである。
【発明の効果】
【００２３】
本発明は、以上のように構成されているので、以下に記載されるような効果を奏する。
すなわち、本発明によれば、前扉に設けられる遊技操作スイッチと取付開口との間に生じる間隙を介して、筐体内の装置に不正にアクセスされるのを効果的に防止可能なスロットマシンを提供することができる。
【図面の簡単な説明】
【００２４】
【図１】本発明の第１の形態であって、スロットマシンの外観を示す正面図である。
【図２】本発明の第１の形態であって、スロットマシンの筐体内部を示す正面図である。
【図３】本発明の第１の形態であって、スロットマシンの前扉の裏面及び遮蔽カバーの外観を示す斜視図である。
【図４】本発明の第１の形態であって、スロットマシンの前扉の裏面及びメダルセレクターの外観を示す斜視図である。
【図５】本発明の第１の形態であって、メダルセレクターが取り付けられた状態のスロットマシンの前扉の裏面及び遮蔽カバーの外観を示す斜視図である。
【図６】本発明の第１の形態であって、メダルセレクター及び遮蔽カバーが取り付けられた状態のスロットマシンの前扉の裏面を示す背面図である。
【図７】本発明の第２の形態であって、メダルセレクター及び遮蔽カバーが取り付けられた状態のスロットマシンの前扉の裏面を示す背面図、並びに斜視図である。
【図８】本発明の第２の形態であって、規制部によりセレクターカバーの回動が規制される状態を示すスロットマシンの前扉の平断面図である。
【図９】本発明の第２の形態の変形例であって、メダルセレクター及び施錠装置が取り付けられた状態のスロットマシンの前扉の裏面を示す斜視図である。
【発明を実施するための形態】
【００２５】
以下、本発明を実施するための形態を図面を参照しつつ説明する。
なお、本形態において、「前面」又は「正面」とは、スロットマシン10における、遊技者が遊技を行う際に向き合う面をいう。また、「奥側」とは、スロットマシン10の前面に向き合う遊技者から見て奥側を意味する。また、「右側」とは、スロットマシン10の前面に向き合う遊技者から見て右側を意味し、「左側」とは、スロットマシン10の前面に向き合う遊技者から見て左側を意味する。
（第１の形態）
（スロットマシン10）
本形態に係る遊技機は、遊技媒体として円板状の遊技メダルを使用するスロットマシン10である。
【００２６】
このスロットマシン10は、図２に示すように、前面側に開口20aを有する箱状の筐体20を備えている。また、図１及び図２に示すように、筐体20の前面側には、開口20aを開塞自在な前扉30を備えている。この前扉30は、筐体20の左端部にヒンジ31により取り付けられており、この部分を軸として前後方向に回転自在なものとなっている。
（筐体20）
筐体20には、図２に示すように、高さ方向の中央付近に、この筐体20の内部空間を上下２つの空間に仕切る中板26が設けられている。
そして、この筐体20における、中板26の上側の空間には、主にスロットマシン10の作動を制御するためのメイン基板を収納する基板ユニット29a、３個の回転リール25を横並びに設けたリールユニット21等を備えている。なお、この筐体20における、中板26の上側の空間には、これらの装置以外の装置を備えることもできる。
【００２７】
また、この筐体20における、中板26の下側の空間には、スロットマシン10に備えられた各種装置に電力を供給するための電源装置28や、遊技メダルを貯留するとともに役の入賞時等に遊技メダルを払い出すためのホッパー装置27、ホッパー装置27に隣接して設けられているとともにホッパー装置27から溢れた遊技メダルを貯留するためのオーバーフロータンク46等を備えている。なお、この筐体20における、中板26の下側の空間には、これら以外の装置や部材等も備えることもできる。
（前扉30）
前扉30の前面略中央には、図１に示すように、長方形状のプラスチック板により構成される上部パネル32aが設けられており、この上部パネル32aに、筐体20の内部に設けられた各回転リール25の周囲に付されている図柄を見ることができる表示窓34が形成されている。この表示窓34は、各回転リール25の前方に位置しており、３個全ての回転リール25が停止した際には、縦３列横３列に配列した合計９個の図柄を見ることができるように形成されている。
【００２８】
また、上部パネル32aの上方には、図１に示すように、画像や文字を表示することで各種演出を行う液晶表示装置53が設けられている。また、図１に示すように、この液晶表示装置53の上部及び左右両側部には、遊技状態に応じて点灯したり、消灯したりすることで各種演出を行うランプ52が設けられており、また、前扉30の前面左右両側端部には、サイドランプ55が設けられている。
また、上部パネル32aの下方であって、前扉30の前面中央には、図１に示すように、前扉30の前面から前方へ向けて突出するカウンター状の操作部33が設けられている。
また、本形態に係るスロットマシン10では、後述する如く、この操作部33に、遊技を行うにあたり操作可能な装置である遊技操作スイッチが複数個取り付けられている。具体的には、操作部33に、各遊技操作スイッチをそれぞれ個別に取付けるための開口であって、前扉30の前面から裏面まで貫通する取付開口（特に図示しておらず）が形成されている。そして、各遊技操作スイッチが、対応する取付開口を介して、操作部33側（すなわち、前扉30の前面側）に操作面が露出した状態で取り付けられている。なお、遊技操作スイッチのうち操作面以外の部分は、前扉30の裏面側に位置するようになっている。
【００２９】
より具体的に操作部33を説明すると、操作部33の上面右側には、遊技メダルを投入するためのメダル投入口44が設けられている。また、操作部33の上面左側には、スロットマシン10に電子的に貯留されているクレジットメダルを１枚ベットするための、遊技操作スイッチとしてのシングルベットスイッチ36a、及び、クレジットメダルを１回の遊技につき投入可能な最大枚数分（たとえば、３枚）ベットするための、遊技操作スイッチとしてのマックスベットスイッチ36bが横並びに設けられている。また、操作部33の上面中央には、演出の進行等に用いられ、所定のタイミングで操作することにより液晶表示装置53等で実行されている演出の表示内容を切り替えることが可能な、遊技操作スイッチとしての演出スイッチ39が設けられている。
【００３０】
また、操作部33の前面左側には、図１に示すように、３個の回転リール25全ての回転を開始させるためのレバー状のスタートスイッチ37が設けられている。また、操作部33の前面中央には、各回転リール25に対応するとともに、各回転リール25の回転をそれぞれ別個に停止させるための、遊技操作スイッチとしての３個のストップスイッチ38が横並びに設けられている。また、操作部33の前面右端部には、前扉30を解錠するための鍵穴42が設けられている。また、操作部3の前面におけるストップスイッチ38の右側には、後述するメダルセレクター43内に詰まった遊技メダルを返却するための返却ボタン56が設けられている。
【００３１】
また、操作部33の下方には、図１に示すように、前面側に遊技機のイメージキャラクターや機種名等の所定の情報を表示する下部パネル32bが設けられている。
また、前扉30の下部中央には、図１に示すように、ホッパー装置27からの遊技メダルの払い出し、又は、メダル投入口44から投入された遊技メダルの返却を行うためのメダル払出口40が設けられ、また、メダル払出口40の左右両側には、音声や効果音等を出力するためのスピーカー54がそれぞれ１つずつ設けられている。また、メダル払出口40の下方には、メダル払出口40から払い出された遊技メダルを貯めておくことができるメダル受け皿41が設けられている。
【００３２】
また、前扉30の裏面における、液晶表示装置53に対応する位置には、特に図示していないが、主にスロットマシン10の演出を制御するためのサブ基板を収納するサブ基板ユニットが設けられている。
また、前扉30の裏面における、メダル投入口44に対応する位置、より具体的には、メダル投入口44の後であって当該メダル投入口44の下端よりも下方に相当する位置には、メダル投入口44から投入された遊技メダルが正規のものであるか否かの選別を行うためのメダルセレクター43が取り付けられている。
また、前扉30の裏面における反軸支側の側端には、図４及び図５に示すように、開口20aを閉塞した状態で前扉30に施錠する施錠装置47が設けられている。この施錠装置47には、鍵穴42を前扉30の正面側に露出するシリンダー錠（特に図示しておらず）と、シリンダー錠の内筒の後端に位置する回転軸（特に図示しておらず）に取り付けられるカム（特に図示しておらず）を収納するケース48とが設けられている。鍵穴42に鍵を挿入してシリンダー錠の内筒を回転させると、これに連動してカムが回転する。そして、このカムの回転に伴って連動する所定の係止部（特に図示しておらず）が、筐体20に設けられた所定の被係止部(特に図示しておらず)と係止され、又は、この係止が解除されることにより、前扉30の施錠又は解錠が行われるように形成されている。
【００３３】
（メダル投入口44）
メダル投入口44は、上述の如く、遊技を行うに際し遊技メダルを投入するところであって、前扉30の前面における所定位置、具体的には、操作部33の上面右側に設けられている（図１参照）。このメダル投入口44には、遊技メダルを通過させることが可能な内寸のスリット（特に図示しておらず）が、その上部から下部まで至るように形成されている。そして、スリットの上側が、受入口として開口するとともに、スリットの下側が、排出口として開口している。これにより、受入口に投入された遊技メダルがスリットを通過して排出口から排出されるようになっている。
【００３４】
（メダルセレクター43）
メダルセレクター43は、上述の如く、メダル投入口44から投入された遊技メダルが正規のものであるか否かの選別を行うためのものであって、前扉30の裏面における、メダル投入口44に対応する位置、より具体的には、メダル投入口44の下方に相当する位置に取り付けられる（図４〜図６参照）。
メダルセレクター43は、図４〜図６に示すように、箱形のセレクターケース57と、セレクターケース57を背面側から覆うように、このセレクターケース57に取り付けられたセレクターカバー58とを備えている。このメダルセレクター50は、セレクターケース57とセレクターカバー58とにより、外形が四角箱型に見えるようになっている。
【００３５】
また、メダルセレクター43の上面右側には、図４に示すように、メダル投入口44から投入された遊技メダルを受け入れるメダル入口59が設けられており、メダルセレクター43を所定の取付位置に取り付けると、メダル投入口44の排出口とメダルセレクター43のメダル入口59とが合致する。これにより、メダル投入口44の受入口から投入された遊技メダルがメダルセレクター43内へスムーズに流れるようになっている。また、メダルセレクター43の左側面下側には、ホッパー装置27方向へ向けて遊技メダルを排出するためのメダル出口60が設けられている。
また、セレクターケース57及びセレクターカバー58により構成されるメダルセレクター43の内部には、特に図示していないが、メダル入口からメダル出口まで至るメダル案内通路が形成されている。このメダル案内通路は、特に図示していないが、「く」の字あるいは「Ｌ」の字のように途中で屈曲した形状に形成されており、メダル入口からほぼ鉛直下方へ向かう鉛直通路と、鉛直通路の下端から斜め下方へ向けて緩やかに傾斜する傾斜通路とからなる。そして、傾斜通路の上流側には、特に図示していないが、正規の遊技メダルよりも直径や厚さが小さい遊技メダルをメダル案内通路から排除する選別手段が設けられている。また、傾斜通路の中間部には、特に図示していなが、遊技メダルの投入不可状態において、正規の遊技メダルをメダル案内通路から強制的に排除する排除手段が設けられている。また、傾斜通路の下流側には、特に図示していないが、遊技メダルの通過を検出するための検出手段が設けられている。そして、この検出手段により、傾斜通路を流下してきた遊技メダルが検出されると、当該遊技メダルが遊技に使用可能な遊技メダルとしてカウントされ、さらには、メダル出口から排出されてホッパー装置27へ至るようになっている。
【００３６】
また、特に図示していないが、セレクターカバー58は、セレクターケース57に設けられた回転軸を中心として回動自在に、セレクターケース57に取り付けられている。また、セレクターカバー58は、通常、上述の回転軸に取り付けられた付勢バネによってセレクターケース57に密着するように付勢されているものの、前扉30に設けられた返却ボタン56が押し込まれると、これに連動する押動部材に押されることで、付勢バネの付勢力に抗して、セレクターケース57から離れる方向に回動する。これにより、セレクターカバー58は、セレクターケース57と所定間隔の間隙を挟んだ離隔位置まで回動し得るようになっている。そして、セレクターカバー58が離隔位置まで回動すると、セレクターケース57及びセレクターカバー58により構成されるメダルセレクター43が開かれて、このメダルセレクター43の内部に位置するメダル案内通路が開放されることにより、メダル案内通路内の遊技メダルが排出されるようになっている。
【００３７】
なお、本形態に係るスロットマシン10においては、セレクターカバー58が離隔位置に至った際に、セレクターカバー58とセレクターケース57との間の生じる間隙は、メダル案内通路内の遊技メダルを排出させることが可能となる最小限の間隔よりも大きい間隔となっている。
また、メダルセレクター43の右側面には、右方向へ向けて突出する円柱状の突起である固定突起62が、上下方向に所定間隔をおいてそれぞれ１つずつ設けられている。
また、メダルセレクター43の左側面には、図４に示すように、左方向へ向けて突出する円柱状の突起である固定突起62が、上下方向に所定間隔をおいてそれぞれ１つずつ設けられている。また、メダルセレクター43の左側面における上端部の所定箇所には、後述するセレクターブラケット70に設けられ、メダルセレクター43をセレクターブラケット70に取り付けるための係止手段79としての固定爪部79aが引っ掛かるようになっている。
【００３８】
また、メダルセレクター43の左側面には、特に図示していないが、このメダルセレクター43を前扉30の裏面に備えられた中継基板（特に図示しておらず）に電気的に接続するための接続ケーブルとしてのハーネスが設けられている。
（セレクターブラケット70）
セレクターブラケット70は、図３及び図４に示すように、メダルセレクター43を前扉30の裏面の所定位置に着脱可能に取り付けるためのものである。
このセレクターブラケット70は、図３及び図４に示すように、前扉30の裏面の所定位置に取り付けられる板状部材である固定部71と、固定部71の右端から後方へ向けて突出する板状部材である第１突出片72と、固定部71の左端から後方へ向けて突出する板状部材である第２突出片73と、固定部71の左端下部に取り付けられるメダル流路形成部材77と、第２突出片73に取り付けられ、かつ後方へ向けて突出する板状部材である係止板78と、を有している。
【００３９】
第１突出片72には、特に図示していないが、メダルセレクター43の右側面に設けられた各固定突起62と対応する位置に、各固定突起62が嵌入するように形成された固定突起挿入孔がそれぞれ設けられている。そして、メダルセレクター43がセレクターブラケット70に取り付けられる際、メダルセレクター43の右側面に設けられた各固定突起62が、対応する固定突起挿入孔に嵌入するようになっている。
また、第２突出片73には、特に図示していないが、メダルセレクター43の左側面に設けられた各固定突起62と対応する位置に、各固定突起62が嵌まるように形成された切り欠きがそれぞれ設けられている。そして、メダルセレクター43がセレクターブラケット70に取り付けられる際、メダルセレクター43の左側面に設けられた各固定突起62が、対応する切り欠きに嵌まるようになっている。
【００４０】
また、メダル流路形成部材77は、図３〜図６に示すように、断面Ｊ字状の樋状部材である。そして、このメダル流路形成部材77が固定部71に取り付けられると、メダル流路形成部材77の一端が、メダルセレクター43のメダル出口60に位置し、他端が、ホッパー装置27に設けられた開口部（特に図示しておらず）の上方に位置するようになっている。これにより、メダル出口60から排出された遊技メダルは、このメダル流路形成部材77に案内されてホッパー装置27内に落下することとなる。
また、係止板78は、図４〜図６に示すように、略方形状の板部材である基部（特に図示しておらず）と、基部に所定の間隔をおいて設けられた係止手段79としての２つの固定爪部79aとから構成されている。
【００４１】
また、２つの固定爪部79aはいずれも、可撓性を有しており、それぞれ別個独立に左方向へ撓ませることができるようになっている。そして、２つの固定爪部79aに外力を加えていない状態では、固定爪部79aがそれぞれ、第２突出片73に形成された各切り欠きの上方に位置し、固定爪部79aがそれぞれ、各切り欠きを塞ぐようになっている。また、固定爪部79aをそれぞれ左方向へ撓ませると、その下方に位置する各切り欠きが開放されることとなる。
そして、メダルセレクター43の右側面における各固定突起62を、セレクターブラケット70の第１突出片72における固定突起挿入孔にそれぞれ嵌め入れ、係止手段79としての固定爪部79aをそれぞれ、左方向へ変位させるように（すなわち、第１突出片72と、固定爪部79aとの間隔を押し広げるように）撓ませて、セレクターブラケット70の第２突出片73における切り欠きをそれぞれ開放し、この状態で、メダルセレクター43の左側面における各固定突起62を、切り欠きにそれぞれ嵌める。そして、固定爪部79aをそれぞれ元の状態に戻して、切り欠きをそれぞれ固定爪部79aで塞ぐと、係止手段79としての２つの固定爪部79aがいずれも、メダルセレクター43に係止される（引っ掛かかる）ため、メダルセレクター43がセレクターブラケット70に取り付けられ、ひいては前扉30の裏面に取り付けられることとなる。
【００４２】
すなわち、係止手段79としての２つの固定爪部79aが各切り欠きの上方に位置すると、固定爪部79aがメダルセレクター43と係止させることとなるため、この位置が、係止位置に相当する。
また、メダルセレクター43をセレクターブラケット70に取り付けた状態で、係止手段79としての２つの固定爪部79aをそれぞれ、左方向へ変位させるように（すなわち、第１突出片72と、固定爪部79aとの間隔を押し広げるように）撓ませて、セレクターブラケット70の第２突出片73における切り欠きをそれぞれ開放すると、メダルセレクター43の左側面における各固定突起62を、切り欠きから外すことができ、さらに、メダルセレクター43の右側面における各固定突起62を、セレクターブラケット70の第１突出片72における固定突起挿入孔から抜くことができる。これにより、メダルセレクター43を、セレクターブラケット70から取り外すことができ、ひいては前扉30の裏面から取り外すことができる。
【００４３】
すなわち、係止手段79としての２つの固定爪部79aを左方向へ変位させて、各切り欠きが開放される位置まで固定爪部79aが到達すると、固定爪部79aとメダルセレクター43との係止が解除されることとなるため、この位置が、係止解除位置に相当する。
換言すれば、係止手段79としての２つの固定爪部79aは、メダルセレクター43と係止される係止位置と、メダルセレクター43との係止が解除される係止解除位置との間を変位可能に形成されている。
（遮蔽カバー100）
本形態に係るスロットマシン10においては、図３、図５及び図６に示すように、前扉30の裏面に、遮蔽カバー100が取り付けられる。
【００４４】
遮蔽カバー100は、前扉30の操作部33に形成された取付開口（特に図示しておらず）を介して取り付けられた遊技操作スイッチ、及び、取付開口と遊技操作スイッチとの間に生じる間隙を一体に覆うための蓋状部材である。本形態に係るスロットマシン10においては、遮蔽カバー100が前扉30の裏面に取り付けられると、遊技操作スイッチとしてのベットスイッチ（シングルベットスイッチ36a、マックスベットスイッチ36b）、ストップスイッチ38及び演出スイッチ39、並びに、取付開口とこれらのスイッチとの間に生じる間隙が、遮蔽カバー100によって一体に覆われることとなる。
具体的には、遮蔽カバー100は、図３に示すように、背板101と、背板101の上端縁から立設した上板102と、背板101の右端縁から立設した右側板103と、背板101の左端縁から立設した左側板104と、背板101の下端縁から斜め下方に傾斜した傾斜板105と、傾斜板105の下端縁から立設した下板106とを有し、背板101と対向する方向（すなわち、上板102、右側板103、左側板104及び下板106の立設方向）に開口する蓋状に形成されている。
【００４５】
また、背板101の上部には、図３に示すように、ビス等の所定の固定手段により、遮蔽カバー100を前扉30の裏面に固定するための固定部107が設けられている。また、背板101の左下部には、図３に示すように、「Ｕ」を下向きにした断面形状に切り欠くとともに、この切り欠きの側縁から立設した壁部を備えた退避部108が設けられている。また、右側板103には、図３に示すように、外方（右方向）へ突出する２つの突片により構成される規制部120が形成されている。
そして、この遮蔽カバー100は、図６に示すように、セレクターブラケット70の左方（すなわち、メダルセレクター43の左方）における所定の取付位置に取り付けられるようになっている。具体的には、上記取付位置に遮蔽カバー100を位置させた状態で、固定部107に対して、所定の固定手段による固定操作（たとえばビス留め等）を行うことで、遮蔽カバー100が前扉30の裏面に取り付けられることとなる（図６参照）。
【００４６】
上記取付位置に遮蔽カバー100を位置させると、遮蔽カバー100の上板102が、ベットスイッチや演出スイッチ39等の遊技操作スイッチが取り付けられている操作部33上面の裏面に当接し、また、遮蔽カバー100の下板106の立設方向の端部が、前扉30の裏面の所定位置に当接することとなり、これにより、遮蔽カバー100と前扉30の裏面とによって閉鎖された空間が形成されることとなる。そして、この閉鎖された空間内に、ベットスイッチ、ストップスイッチ38及び演出スイッチ39、並びに、取付開口とこれらのスイッチとの間に生じる間隙が位置することとなり、ひいては、上記遊技操作スイッチ及び上記間隙が、遮蔽カバー100によって一体に覆われることとなる。
【００４７】
なお、遮蔽カバー100を前扉30の裏面に取り付けた際に、背板101に設けられた退避部108が、前扉30の前面に取り付けられたスタートスイッチ37の位置と対応するようになっている。これにより、遮蔽カバー100を前扉30の裏面に取り付けると、スタートスイッチ37における前扉30の裏面側に突出する部分が、退避部108内に収まるようになっている。
また、遮蔽カバー100を前扉30の裏面に取り付けると、図６に示すように、右側板103に形成された規制部120の先端（すなわち、突出方向の端部）が、係止位置に位置している各固定爪部79aに当接するようになっている。これにより、各固定爪部79aは、規制部120により左方向へ撓むのを妨げられることとなる。換言すれば、係止手段79としての各固定爪部79aは、規制部120により、係止位置から係止解除位置まで変位するのを規制されることとなる。
【００４８】
すなわち、本形態に係るスロットマシン10においては、メダルセレクター43をセレクターブラケット70に取り付け、さらに、遮蔽カバー100を前扉30の裏面に取り付けた状態では、メダルセレクター43をセレクターブラケット70から取り外すことができないこととなる。換言すれば、遮蔽カバー100を取り外さないと、メダルセレクター43をセレクターブラケット70から取り外すことはできない。
したがって、メダルセレクター43及び遮蔽カバー100を前扉30の裏面へ取り付けるには、図３及び図４に示すように、まず、メダルセレクター43をセレクターブラケット70に取り付け、その後、遮蔽カバー100を前扉30の裏面に取り付ける。また、取り外すには、取り付けの逆の手順を踏み、まず、遮蔽カバー100を前扉30の裏面から取り外し、その後、メダルセレクター43をセレクターブラケット70から取り外す。
【００４９】
（まとめ）
本形態に係るスロットマシン10においては、遊技を行うにあたり操作可能な遊技操作スイッチとしてのベットスイッチ、ストップスイッチ38及び演出スイッチ39が、前扉30に形成された取付開口を介して、前扉30に取り付けられる。そして、前扉30の裏面には、上記スイッチ及び上記スイッチと取付開口との間に生じる間隙を一体に覆うことが可能な遮蔽カバー100が取り付けられるようになっている。
すなわち、本形態に係るスロットマシン10によれば、前扉30の裏面に遮蔽カバー100を取り付けると、上記スイッチ及び上記スイッチと取付開口との間に生じる間隙が遮蔽カバー100に覆われることとなる。換言すれば、前扉30の裏面に遮蔽カバー100が取り付けられると、前扉30の裏面及び遮蔽カバー100により閉鎖された空間が形成され、この閉鎖された空間に、上記スイッチ及び上記スイッチと取付開口との間に生じる間隙が収まることとなる。
【００５０】
そのため、上記スイッチと取付開口との間に生じる間隙からピアノ線等のワイヤー部材が挿入されたとしても、遮蔽カバー100によって、当該遮蔽カバー100よりも奥側の筐体20内部への進入が妨げられることとなる。
したがって、本発明に係るスロットマシン10によれば、前扉30に設けれらる上記スイッチと取付開口との間に生じる間隙からワイヤー状部材を挿入することにより、当該間隙を介して、筐体20内の装置に不正にアクセスされるのを効果的に防止することができるのである。
また、本形態に係るスロットマシン10においては、メダル投入口44から投入された遊技メダルの選別を行うメダルセレクター43が、セレクターブラケット70に設けられた固定爪部79a（係止手段79）と係止することにより、セレクターブラケット70を介して、前扉30の裏面に着脱可能に取り付けられる。そして、遮蔽カバー100を前扉30の裏面に取り付けると、遮蔽カバー100から外方に突出する規制部120の先端が、固定爪部79aがメダルセレクター43との係止が解除される係止解除位置まで変位するのを規制可能な位置に達することとなる。
【００５１】
すなわち、本形態に係るスロットマシン10によれば、遮蔽カバー100を前扉30の裏面に取り付けると、規制部120により固定爪部79aの係止解除位置までの変位が規制されることで、固定爪部79aとメダルセレクター43との係止が解除できなくなるため、メダルセレクター43が前扉30の裏面から不正に取り外されるのを困難なものとすることができる。
このように、本形態に係るスロットマシン10によれば、遮蔽カバー100を前扉30の裏面に取り付けることのみで、上記スイッチと取付開口との間に生じる間隙を介して、筐体20内の装置に不正にアクセスされるのを防止できるとともに、メダルセレクター43が不正に取り外されるのを防止できる。すなわち、不正対策用の部品の数を増やすことなく、遮蔽カバー100のみで複数種類の不正対策を行うことができるため、部品の取り付け作業や製造コストの増加を抑えたスロットマシン10の不正対策が可能となるのである。
【００５２】
なお、規制部120は、係止手段79としての固定爪部79aが係止解除位置まで変位するのを規制できるようになっていればよい。したがって、規制部120の先端は必ずしも固定爪部79aに当接している必要はなく、規制部120の先端と固定爪部79aとの間には、固定爪部79aが係止解除位置まで変位することができない程度の間隙（クリアランス）が設けられていてもよい。
また、本形態における遮蔽カバー100は、複数の遊技操作スイッチ（ベットスイッチ、ストップスイッチ38及び演出スイッチ39）及び各遊技操作スイッチと取付開口との間に生じる間隙を一体に覆うように形成されているが、複数の遮蔽カバー100を設け、各遮蔽カバー100がそれぞれ別個に、対応する一の遊技操作スイッチ及び間隙を覆うように形成してもよい。
【００５３】
（第２の形態）
第２の形態は、後述する如く、遮蔽カバー100の規制部120が第１の形態と相違し、他については第１の形態と同一である。以下、第２の形態について、図７及び図８に基づき、第１の形態との相違点を中心に具体的に説明する。
本形態における遮蔽カバー100の規制部120は、図７（ａ）及び（ｂ）に示すように、その先端（突出方向の端部）が、メダルセレクター43におけるセレクターカバー58の背面側中央よりも右側まで達するようになっており、これにより、規制部120と前扉30の裏面との間にメダルセレクター43が挟まれるようになっている。
【００５４】
また、セレクターカバー58の背面と規制部120との間には、図７（ｂ）に示すように、若干の間隙が設けられている。
ここで、第１の形態で述べたように、前扉30に設けられた返却ボタン56を押し込むと、セレクターカバー58は回動して離隔位置まで至るようになっているが、本形態において、セレクターカバー58の背面と規制部120との間に設けられた間隙は、セレクターカバー58が離隔位置に至った際にセレクターカバー58とセレクターケース57との間の生じる間隙よりも小さい間隔（具体的には、メダル案内通路内の遊技メダルを排出させることが可能となる最小限の間隔）となっている。すなわち、本形態のスロットマシン10においては、返却ボタン56を押すと、セレクターカバー58は離隔位置へ向けて回動していくものの、離隔位置に到達するよりも前に規制部120に当接して離隔位置へ向けての回動が規制され、セレクターカバー58はこれ以上回動できないこととなる（図８参照）。これにより、セレクターカバー58が規制部120に当接した際に、セレクターカバー58とセレクターケース57との間に生じる間隙は、メダル案内通路内の遊技メダルを排出させることが可能となる最小限の間隔となる。
【００５５】
（まとめ）
本形態に係るスロットマシン10においては、メダル投入口44から投入された遊技メダルの選別を行うメダルセレクター43が、前扉30の裏面に着脱可能に取り付けられる。そして、遮蔽カバー100を前扉30の裏面に取り付けると、遮蔽カバー100から外方に突出する規制部120の端部が、メダルセレクター43におけるセレクターカバー58の背面中央よりも右側の所定位置まで達し、規制部120と前扉30の裏面との間に、メダルセレクター43が挟まれることとなる。
すなわち、本形態に係るスロットマシン10によれば、遮蔽カバー100を前扉30の裏面に取り付けると、規制部120により、メダルセレクター43の背面側（筐体20の内部方向）への滑落が規制されることとなる。そのため、不正な外力が加えられることによりメダルセレクター43が前扉30の裏面から取り外されても、メダルセレクター43を滑落させずにそのままの位置に留まらせることが可能となる。これにより、メダル投入口44から筐体20内部の装置にアクセスするにあたっての障害物となるメダルセレクター43を、前扉30の裏面から滑落させて取り除くことで、筐体20内部の装置へのアクセスを容易にするという不正行為を防止することができる。
【００５６】
このように、本形態に係るスロットマシン10によれば、第１の形態と同様に、遮蔽カバー100を前扉30の裏面に取り付けることのみで、遊技操作スイッチと取付開口との間に生じる間隙を介して、筐体20内の装置に不正にアクセスされるのを防止できるとともに、メダルセレクター43が不正に取り除かれるのを防止できる。すなわち、不正対策用の部品の数を増やすことなく、遮蔽カバー100のみで複数種類の不正対策を行うことができるため、部品の取り付け作業や製造コストの増加を抑えたスロットマシン10の不正対策が可能となるのである。
また、本形態に係るスロットマシン10においては、セレクターカバー58の背面と規制部120との間に、若干の間隙が設けられている。また、この間隙は、セレクターカバー58が離隔位置に至った際にセレクターカバー58とセレクターケース57との間の生じる間隙よりも小さい間隔（メダル案内通路内の遊技メダルを排出させることが可能となる最小限の間隔）となっている。そして、返却ボタン56を押すと、セレクターカバー58が離隔位置に到達するよりも前に規制部120に当接して離隔位置へ向けての回動が規制され、セレクターカバー58はこれ以上回動できないこととなる。これにより、セレクターカバー58が規制部120に当接した際に、セレクターカバー58とセレクターケース57との間に生じる間隙は、メダル案内通路内の遊技メダルを排出させることが可能となる最小限の間隔となる。
【００５７】
すなわち、本形態に係るスロットマシン10によれば、セレクターカバー58が必要以上に大きく開かれるのを防止することができるため、セレクターカバー58を大きく開放して、メダル投入口44から細長板状の不正部材（いわゆる、クレマン等）を挿入して遊技メダルの検出手段にアクセスするといった不正行為も、上述の不正行為と併せて防止することができるのである。
（変形例）
図９に示すように、セレクターカバー58における反軸支側の側端には、セレクターカバー58が離隔位置へ向けて開かれていくと、施錠装置47のケース48の端部に当接するように形成された当接部130を設けることができる。また、この当接部130が施錠装置47のケース48の端部に当接した際に、セレクターカバー58とセレクターケース57との間に生じる間隙は、メダル案内通路内の遊技メダルを排出させることが可能となる最小限の間隔となるように形成することができる。
【００５８】
このように形成することによっても、セレクターカバー58が必要以上に大きく開かれるのを防止することができるため、セレクターカバー58を大きく開放して、メダル投入口44から細長板状の不正部材（いわゆる、クレマン等）を挿入して遊技メダルの検出手段にアクセスするといった不正行為も防止することができる。
なお、このような構成は、第１の形態に係るスロットマシン10に適用してもよい。
【符号の説明】
【００５９】
10  スロットマシン          20  筐体
20a 開口                    21  リールユニット
25  回転リール              26  中板
27  ホッパー装置            28  電源装置
29a メイン基板ユニット      30  前扉
31  ヒンジ                  32a 上部パネル
32b 下部パネル              33  操作部
34  表示窓                  36a シングルベットスイッチ
36b マックスベットスイッチ  37  スタートスイッチ
38  ストップスイッチ        39  演出スイッチ
40  メダル払出口            41  メダル受け皿
42  鍵穴                    43  メダルセレクター
44  メダル投入口            46  オーバーフロータンク
47  施錠装置                48  ケース
52  ランプ                  53  液晶表示装置
54  スピーカー              55  サイドランプ
56  返却ボタン              57  セレクターケース
58  セレクターカバー        59  メダル入口
60  メダル出口              62  固定突起
70  セレクターブラケット    71  固定部
72  第１突出片              73  第２突出片
77  メダル流路形成部材      78  係止板
79  係止手段                79a 固定爪部
100 遮蔽カバー              101 背板
102 上板                    103 右側板
104 左側板                  105 傾斜板
106 下板                    107 固定部
108 退避部                  120 規制部
130 当接部
【図１】
2013252225.tif 000003
【図２】
2013252225.tif 000004
【図３】
2013252225.tif 000005
【図４】
2013252225.tif 000006
【図５】
2013252225.tif 000007
【図６】
2013252225.tif 000008
【図７】
2013252225.tif 000009
【図８】
2013252225.tif 000010
【図９】
2013252225.tif 000011